(57)【特許請求の範囲】
【請求項１】
基材と、
前記基材の一方の面に形成された情報記録層と、
前記情報記録層に重ねて形成された第１の剥離層と、
前記第１の剥離層に重ねて形成された隠蔽層と、
前記隠蔽層に重ねて、前記隠蔽層が一部露出する所定のパターンで形成された第２の剥離層と、
を有することを特徴とするスクラッチシート。
【請求項２】
前記第２の剥離層の厚さは、前記第１の剥離層の厚さより薄いことを特徴とする請求項１に記載のスクラッチシート。
【発明の詳細な説明】
【技術分野】
【０００１】
本発明は、所定の作業を行うことにより、隠蔽されていた情報を視認可能とするスクラッチシートに関する。
【背景技術】
【０００２】
従来、隠したい情報の上に隠蔽層を形成し、この隠蔽層をコイン等でスクラッチする（引っ掻く、擦る）ことにより、隠されていた情報を視認可能にするスクラッチ構造を有するシートが用いられている。このようなスクラッチ構造を有するシートは、くじ、抽選券等、情報を隠蔽しておく必要のある媒体に利用されている。出願人も、スクラッチ構造を有するシート（スクラッチシート）として、様々な形態のものを提案している（特許文献１、２参照）。
【先行技術文献】
【特許文献】
【０００３】
【特許文献１】特開２０１３−２２８５３号公報
【特許文献２】特開２０１３−９１２３３号公報
【発明の概要】
【発明が解決しようとする課題】
【０００４】
スクラッチシートは、上述のように、くじ、抽選券等に用いられることが多く、エンタテイメント性が要求されるものである。しかしながら、従来のスクラッチシートでは、隠蔽層を削ったり剥がしたり等、所定の作業を行うことにより隠された情報を出現させるだけであった。
【０００５】
そこで、本発明は、所定の作業を行うことにより、単に隠された情報を知ることができるだけでなく、段階的に情報を出現させることが可能なスクラッチシートを提供することを課題とする。
【課題を解決するための手段】
【０００６】
上記課題を解決するため、本発明第１の態様では、
基材と、
前記基材の一方の面に形成された情報記録層と、
前記情報記録層に重ねて形成された第１の剥離層と、
前記第１の剥離層に重ねて形成された隠蔽層と、
前記隠蔽層に重ねて所定のパターンで形成された第２の剥離層と、
を有することを特徴とするスクラッチシートを提供する。
【０００７】
本発明第１の態様によれば、スクラッチシートが、基材と、基材の一方の面に形成された情報記録層と、情報記録層に重ねて形成された第１の剥離層と、第１の剥離層に重ねて形成された隠蔽層と、隠蔽層に重ねて所定のパターンで形成された第２の剥離層と、を有するので、粘着テープを用いて、隠蔽層を剥離する際に、隠蔽層の一部が残り、さらに残った隠蔽層を除去する作業を行うことにより、単に隠された情報を知ることができるだけでなく、段階的に情報記録層が表現する情報を出現させることが可能となる。
【０００８】
また、本発明第２の態様では、前記スクラッチシートにおいて、前記第２の剥離層の厚さは、前記第１の剥離層の厚さより薄いことを特徴とする。
【０００９】
本発明第２の態様によれば、所定のパターンで形成された第２の剥離層の厚さは、情報記録層に重ねて形成された第１の剥離層の厚さより薄いので、粘着テープにより第２の剥離層が剥離されてしまう恐れを低減することができるとともに、第２の剥離層を安定した状態で形成することが可能となる。
【発明の効果】
【００１０】
本発明によれば、所定の作業を行うことにより、単に隠された情報を知ることができるだけでなく、段階的に情報を出現させることが可能となる。
【図面の簡単な説明】
【００１１】
【図１】本発明の一実施形態に係るスクラッチシートを示す図である。
【図２】粘着テープ等を利用して隠蔽層４の一部を除去した状態のスクラッチシートを示す図である。
【図３】硬貨により擦られた後の状態におけるスクラッチシートを示す図である。
【図４】第２の剥離層５の形成パターンにより得られる、隠蔽層４の残留パターンの異なる例を示す図である。
【発明を実施するための形態】
【００１２】
以下、本発明の好適な実施形態について、図面を参照して詳細に説明する。
＜１．スクラッチシートの構成＞
図１は、本発明の一実施形態に係るスクラッチシートを示す図である。図１（ａ）は平面図であり、図１（ｂ）は、図１（ａ）のＡ−Ａ線に対応する断面図である。図１において、１は基材、２は情報記録層、３は第１の剥離層、４は隠蔽層、５は第２の剥離層、１０はスクラッチシートである。基材１は、情報記録層２、第１の剥離層３、隠蔽層４および第２の剥離層５を支持する支持体としての役割を果たすものであり、カードや印刷物等、目的・用途に応じた厚さ・サイズのものが用いられる。基材１の一方の面、他方の面、または両面には、別途印刷インキにより所定の情報が印刷された印刷層が形成されていてもよい。
【００１３】
第２の剥離層５は、隠蔽層４に重ねて所定のパターンで形成されたものである。所定のパターンとしては、情報記録層に表現された情報の一部を隠し、全てを隠さない範囲で様々な形状のパターンとすることができる。本実施形態では、第２の剥離層５は、長方形を格子状に配置したパターンで形成されている。第２の剥離層５を透明とした場合には、隠蔽層４の色がそのまま表面から視認される。図１の例では、第２の剥離層５が透明である場合のその形成位置を、格子状に配置した長方形の枠により示している。
【００１４】
情報記録層２は、文字、図柄等による所定の情報が記録された層である。情報記録層２は、第１の剥離層３を介して形成された隠蔽層４により、視認困難なように隠蔽される。
【００１５】
第１の剥離層３は、隠蔽層４を情報記録層２から容易に剥離可能とするために形成された層である。第１の剥離層３は、情報記録層２を覆うようにして形成されている。隠蔽層４は、情報記録層２を隠蔽するために形成された層である。隠蔽層４は、第１の剥離層３に重ねて形成されている。したがって、隠蔽層４も、情報記録層２を覆うようにして形成されている。
【００１６】
隠蔽層４は、情報記録層２により表現された情報を隠すための層であり、情報記録層２を覆うようにして形成されている。隠蔽層４を削る際に、粘着テープ等を用いて剥離することもできるように、隠蔽層４は、銀インキ、墨インキ等を用いて形成されている。ここで、粘着テープ等とは、例えば、セロハンテープ、ビニールテープ、ガムテープ等、粘着剤または接着剤が塗布されたテープを意味する。
【００１７】
図１（ｂ）の断面図は、スクラッチシート１０の層構成を示すものであるため、現実とは厚さの比が異なっている。現実には、スクラッチシートの幅が数十ｍｍ〜数百ｍｍであるのに対して、スクラッチシートの厚さは、数百μｍ程度である。また、図１（ｂ）においては、基材１、情報記録層２、第１の剥離層３、隠蔽層４、第２の剥離層５の各層の厚さを同一にして示しているが、現実には、後述するように、それぞれ異なった厚さとなっている。なお、スクラッチシートの層構成は、どちらを上層、下層としてもよいが、以下では説明に便宜上、第２の剥離層５側を上層、基材１側を下層として説明していく。
【００１８】
基材１としては、例えば、上質紙、アート紙、コート紙、キャストコート紙、合成樹脂又はエマルジョン含浸紙、合成ゴムラテックス含浸紙、合成樹脂内添紙、セルロース繊維紙等の紙類、ポリオレフィン（ポリエチレン、ポリプロピレンなど）、ポリスチレン、ポリカーボネート、ポリエチレンテレフタレート、ポリ塩化ビニル、ポリメタクリレート等の各種合成樹脂のプラスチックシート、また、これらの合成樹脂に白色顔料や充填剤を加えて成膜した白色不透明フィルム、あるいは基材内部に微細空隙（ミクロボイド）を有するフィルム（いわゆる合成紙）を使用することができる。
【００１９】
基材１の厚さについては、特に限定はないが、３μｍ〜３００μｍが好ましく、２０μｍ〜１７５μｍであることがより好ましい。基材１の色についても、特に限定はないが、情報記録層２に表現された情報を視認し易いように、情報記録層２と異なる色であることが好ましい。
【００２０】
情報記録層２は、上述のように、文字、図柄等による所定の情報が記録された層である。所定の情報としては、様々な情報を記録することができる。例えば、「１２３４５」のような番号を示す情報を記録しておき、スクラッチシートを抽選のための「くじ」として用いることができる。情報記録層２は、公知の印刷インキを、オフセット印刷、グラビア印刷、スクリーン印刷、インクジェット印刷、電子写真印刷等の公知の印刷方式により印刷することにより形成される。
【００２１】
第１の剥離層３は、隠蔽層４の剥離を容易にするための層である。そのため、第１の剥離層３としては、隠蔽層４が第１の剥離層３から容易に剥離できるように、隠蔽層４との接着性の低いものを使用することが好ましい。第１の剥離層３の形成には、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。また、本実施形態では、下層側の情報記録層２を視認するため、第１の剥離層３が透明性を有していることが好ましい。また、第１の剥離層３を形成するための塗布量・塗布厚は特に限定されないが、好ましくは、塗布厚は４μｍ〜１０μｍである。第１の剥離層３の塗布厚が４μｍ未満であると、粘着テープ等による隠蔽層４の剥離が困難となり、１０μｍを超えると、剥離の容易性に大きな変化がないためである。
【００２２】
隠蔽層４は、コイン等で削り取ったり、接着剤（粘着剤含む）により剥離したりすることが可能な層であって、情報記録層２を隠蔽するための層である。隠蔽層４は、隠蔽性の高いインキを印刷することにより形成される。具体的には、隠蔽性の高い顔料が、比較的多量にバインダ樹脂中に分散したものである。必要に応じて、着色の目的で、染料もしくは通常の顔料が配合されたインキであってもよい。隠蔽層４は、第１の剥離層３に重ねて形成される。
【００２３】
隠蔽層４を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、隠蔽層４を構成するバインダ樹脂としては、上記の隠蔽性の高い顔料を保持し、基材との接着性の良好なものを選択して用いる。例えば、天然ゴム、もしくは塩酸ゴム等のゴム系天然樹脂、ポリブタジエン、スチレン−ブタジエン共重合体、アクリロニトリル−ブタジエン共重合体、ポリイソプレン、ポリクロロプレン、アクリル、塩化ビニル、もしくは塩化ビニル−酢酸ビニル共重合体等を使用する。隠蔽層４の色については、情報記録層２の視認を困難とするものであれば、特に限定されない。
【００２４】
隠蔽層４は、例えば、金属粉をインキ化した銀インキなどをオフセット印刷方式、グラビア印刷方式、シルクスクリーン印刷、フレキソ印刷方式などの公知の印刷方式で形成すればよく、隠蔽性をあげるために複数回印刷してもよい。また、隠蔽性のある異なるインキによる印刷層を複数層形成してもよい。隠蔽層４を形成するための塗布量・塗布厚は特に限定されないが、隠蔽層４の塗布厚は０．１μｍ〜１０μｍであることが好ましい。
【００２５】
第２の剥離層５は、粘着テープ等により隠蔽層４からの剥離が困難なようにするための層である。そのため、第２の剥離層５としては、粘着テープ等と接着しないような接着性の低いものを使用することが好ましい。第２の剥離層５の形成には、第１の剥離層３と同様、例えば、フッ素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等を用いることができる。第２の剥離層５は、第１の剥離層３と異なり、透明性を有する必要性は高くない。そのため、第２の剥離層５の色としては、特に限定はなく、透明・不透明に関わらず、種々の色のものを用いることができる。しかし、隠蔽層４との対比で、第２の剥離層５の存在が目立たないような色であることが好ましい。したがって、第２の剥離層５としては、第１の剥離層３に用いる材料と異なるものを用いて形成してもよいが、第１の剥離層３に用いる材料と同じものを用いれば、作業工程上も効率的な製造ができ、材料コストも低減することが可能となる。
【００２６】
また、第２の剥離層５を形成するための塗布量・塗布厚は特に限定されないが、好ましくは、塗布厚は２μｍ〜３μｍである。第２の剥離層５の厚さが、２μｍ未満であると、粘着テープ等に接着して、第２の剥離層５が全て剥離されてしまう可能性が高まるためである。この場合、下層の隠蔽層４が全て剥がれてしまう恐れも高まる。また、第２の剥離層５の厚さが、３μｍを超えると、第２の剥離層５が安定された状態で形成されない恐れが高まるとともに、粘着テープ等と隠蔽層４の接着力が弱まり、第２の剥離層５と重ならない部分における隠蔽層４が剥離され難くなるためである。したがって、第２の剥離層５の厚さは、第１の剥離層３の厚さより薄いことが好ましい。第２の剥離層５の厚さが、第１の剥離層３の厚さより薄いことにより、粘着テープ等に接着して、第２の剥離層５と重なっていない隠蔽層４のみが剥離され易くなるためである。
【００２７】
＜２．実施例＞
基材１として、坪量１２７．９ｇ／ｍ2の三菱製紙株式会社製のマットコート紙「SWORD iJET(登録商標)4.3マット」を使用した。
まず、通常のオフセットインキを用いて、オフセット印刷方式により、上記基材１上に、情報記録層２の形成を行った。本実施形態では、図２（ａ）に示すように、文字情報である「１２３４５」を形成した。
また、同様に通常のオフセットインキを用いて、オフセット印刷方式により、所定のメッセージ（図２（ａ）の例では、「スクラッチシート」「コインで擦って下さい」「テープで剥離して下さい」等）、その他必要な絵柄等の印刷を行った。
続いて、情報記録層２を覆うように、剥離インキを印刷した。剥離インキとしては、SICPA社製「UV Flexo UV Release Varnish Fluo Blue 9R0128V」を用いた。
剥離インキの印刷は、乾燥時の厚さが５μｍになるようにフレキソ印刷方式により印刷した。この結果、情報記録層２に重なる第１の剥離層３が形成された。
さらに、第１の剥離層３に重ねて、墨インキを印刷した。墨インキとしては、SICPA社製「UV Flexo Scratch-Off Black 7UG7009」を用いた。墨インキは、厚さが４μｍになるようにフレキソ印刷方式により印刷した。さらに、墨インキに重ねて、銀インキを印刷した。銀インキとしては、SICPA社製「UV FlexoVarnish For Scratch Off Silver/Gold 880770」と「UV Silver Paste 880761」を４：１の質量比で混合したものを用いた。銀インキは、厚さが４μｍになるようにフレキソ印刷方式により印刷した。この結果、墨インキと銀インキの二層構成となる隠蔽層４が、第１の剥離層３に重ねて形成された。
続いて、隠蔽層４に重ねて、情報記録層２を一部隠すような印刷パターンを形成するための凹凸を備えた版を用意し、この版を用いて、剥離インキを印刷した。剥離インキとしては、SICPA社製「UV Flexo UV Release Varnish Fluo Blue 9R0128V」を用いた。
このときの剥離剤の印刷は、乾燥時の厚さが３μｍになるようにフレキソ印刷方式により印刷した。この結果、隠蔽層４に重なる第２の剥離層５が形成された。
これにより、図１に示したようなスクラッチシートが完成した。
隠蔽層４は、金属粉を含む銀色であるため、隠蔽層４を通して、情報記録層２に表現された情報を視認することは困難であった。
【００２８】
＜３．使用例＞
図１に示したスクラッチシート１０では、隠蔽層４が情報記録層２を覆って形成されている。隠蔽層４は銀色のインキであるため、情報記録層２を視認することはできない。そのため、図１（ａ）の例では、「テープで剥離して下さい」というメッセージが、隠蔽層４を示す矢印とともに印刷されている。上述のように、図１（ａ）においては、第２の剥離層５の形成位置を、格子状に配置した長方形の枠により示しているが、実際には、この格子状の枠は視認されない。
【００２９】
図１に示したスクラッチシート１０において、「テープで剥離して下さい」というメッセージに従い、粘着テープの粘着面を隠蔽層４および第２の剥離層５に接触させる。第２の剥離層５が形成された箇所においては、粘着テープの粘着面と第２の剥離層５が接触し、第２の剥離層５が形成されていない箇所においては、粘着テープの粘着面と隠蔽層４が直接接触することになる。そして、粘着テープをスクラッチシート１０から剥がす。
【００３０】
第２の剥離層５は、その剥離作用により粘着テープの粘着面との接着性が弱いため、剥離せずに残る。第２の剥離層５の上層側（図１（ｂ）の上方向）の一部が剥離したとしても、下層側の一部（図１（ｂ）の下方向）が残ることにより、第２の剥離層５と重なる部分の隠蔽層４は剥離されずに残る。一方、粘着テープの粘着面と直接接触している部分については、隠蔽層４は、粘着テープの粘着面に付着した状態で、粘着テープとともに、スクラッチシート１０から剥離される。隠蔽層４と第２の剥離層５は、コインで削ることにより除去することも可能である。しかし、コインで擦ると、隠蔽層４の全てが一気に削られてしまい、情報記録層２が全て視認可能になってしまう。このため、２段階で視認状態を変化させるためには、図１（ａ）に示したようなメッセージを印刷しておき、粘着テープを用いて隠蔽層４を剥がさせるよう促すことが好ましい。
【００３１】
隠蔽層４の一部を剥がすと、スクラッチシート１０は図２に示すような状態となる。図２は、粘着テープにより第２の剥離層５と重ならない部分の隠蔽層４が剥離された後の状態におけるスクラッチシートを示す図である。図２（ａ）は、この時点におけるスクラッチシートの平面図であり、図２（ｂ）は、図２（ａ）のＢ−Ｂ線に対応する断面図である。図２（ｂ）に示すように、元のスクラッチシート１０からは、第２の剥離層５と重ならない部分の隠蔽層４が剥離され、情報記録層２の一部は、第１の剥離層３のみが重なった状態となる。第１の剥離層３は、透明であるため、スクラッチシート１０の表面から見た場合は、図２（ａ）に示すように、情報記録層２が表現する文字「１２３４５」の一部を視認することが可能となる。第２の剥離層５と重なる部分の隠蔽層４は、図２（ａ）に示すように、第２の剥離層５の形状である長方形を格子状に配置したパターンで残り、情報記録層２が表現する文字「１２３４５」の一部を隠蔽したままとなる。
【００３２】
ここで、第１の剥離層３の透明性の程度は、数μｍ〜数十μｍの厚さを通して視認可能な程度で足りる。基本的には、第１の剥離層３は、基材１との密着性が高い状態を保ち、また、情報記録層２の保護層としての役割も果たすため、透明性の高いことが要求される。しかし、第１の剥離層３の透明性が足りず、第１の剥離層３を介して情報記録層２を視認することが困難になったとしても、最終的には硬貨等により隠蔽層４および第１の剥離層３を全て削ってしまえば、情報記録層２を全て視認することが可能となる。このため、仮に第１の剥離層３の透明性が高くない場合であっても、スクラッチシートとしては、利用することができる。
【００３３】
粘着テープを利用して第２の剥離層５と重ならない部分の隠蔽層４を剥離した場合、第２の剥離層５と重なる部分の隠蔽層４がスクラッチシート１０に残り、隠蔽層４による所定のパターンが形成されることになる。図２（ａ）の例では、第２の剥離層５の形状である長方形を格子状に配置したパターンで残る。この状態では、情報記録層２が表現する文字「１２３４５」の一部しか視認することができない。そのために、図２（ａ）の例では、「コインで擦って下さい」というメッセージが、隠蔽層４の残存位置を示す矢印とともに印刷されている。
【００３４】
図２に示したスクラッチシート１０において、「コインで擦って下さい」というメッセージに従い、残った隠蔽層４と第２の剥離層５を硬貨で擦ると、残っている隠蔽層４と第２の剥離層５が硬貨により削られる。この際、削る力が大きければ、硬貨により第１の剥離層３も削られることもある。
【００３５】
この結果、スクラッチシート１０は、図３に示すような状態となる。図３は、硬貨により隠蔽層４、第２の剥離層５が擦られた後の状態におけるスクラッチシートを示す図である。すなわち、図３（ｂ）に示すように、情報記録層２に重ねて第１の剥離層３のみが残る状態となる。本実施形態では、第１の剥離層３が、数μｍ〜数十μｍの厚さを通して視認可能な程度の透明性を有しているため、スクラッチシート１０の表面から見た場合は、文字「１２３４５」の全てを視認することが可能となる。図３の例は、隠蔽層４が全て除去された状態を示しているが、もちろん、硬貨で擦る際の状態により、隠蔽層４が若干残る場合もある。隠蔽層４が若干残った場合であっても、目的とする文字「１２３４５」が十分に視認可能な状態となればよい。
【００３６】
利用者にしてみると、粘着テープで剥離することにより、第２の剥離層５と重なっていない部分の隠蔽層４を除去して、情報記録層２により表現された情報（図２、３の例では、「１２３４５」）の一部を取得することができる。そして、残った隠蔽層４、第２の剥離層５を硬貨等で擦ることにより、隠蔽層４、第２の剥離層５を除去し、情報記録層２により表現された情報を完全な状態として取得することができる。このように、利用者は、１つのスクラッチシートで、段階的に２回楽しむことができる。
【００３７】
上記の例では、図２（ａ）に示したように、第２の剥離層５を、長方形を格子状に配置したパターンで形成した。第２の剥離層５の形成パターンとしては、様々なものを用いることができる。図４は、第２の剥離層５を異なるパターンとした場合の隠蔽層４の残留パターンを示す図である。図４の例では、第２の剥離層５の形成パターンを「コイン」という文字の形状とした場合を示している。そのため、第２の剥離層５と重なる部分の隠蔽層４は、図４に示したように、「コイン」という文字のパターンで残ることになる。第２の剥離層５の形成パターンを「コイン」という文字の形状とした場合、利用者は、コインで削ることを示唆している、と判断することができるため、「コインで擦って下さい」というメッセージを印刷しないようにすることもできる。
【符号の説明】
【００３８】
１・・・基材
２・・・情報記録層
３・・・第１の剥離層
４・・・隠蔽層
５・・・第２の剥離層
１０・・・スクラッチシート
【図１】
0006638404.tif 000002
【図２】
0006638404.tif 000003
【図３】
0006638404.tif 000004
【図４】
0006638404.tif 000005